(57)【要約】【課題】スキミング装置によるスキミングを防止する。【解決手段】磁気カード処理装置１００は、磁気カード１０４に設けられた磁気ストライプ１０５に記録された磁気信号を読み取るためのものであって、到来する磁界の強さに対応する電流を読み取り電流１１４として出力する磁気情報読み取りヘッド１０３と、時間の経過とともに電流値が変化する電流である妨害磁界発生用電流１１５を出力する妨害磁界発生用電流供給部１０６と、妨害磁界発生用電流供給部１０６から妨害磁界発生用電流１１５が供給され、妨害磁界発生用電流１１５の電流値に応じた強さの磁界を放出する妨害磁界発生部１０２と、妨害磁界発生用電流供給部１０６から供給される妨害磁界発生用電流１１５の電流値から所定の電流値を差し引いた電流値を、読み取りヘッド１０３から供給される読み取り電流１１４の電流値から差し引いた電流値を有する電流を出力する演算部１１３とを含む。【選択図】      図３
2019071133.tif 000002
【特許請求の範囲】
【請求項１】
磁気カードに設けられた磁気ストライプに記録された磁気信号を読み取るためのものであって、到来する磁界の強さに対応する電流を読み取り電流として出力する読み取りヘッドと、
時間の経過とともに電流値が変化する電流である妨害磁界発生用電流を出力する妨害磁界発生用電流供給部と、
前記妨害磁界発生用電流供給部から前記妨害磁界発生用電流が供給され、前記妨害磁界発生用電流の電流値に応じた強さの磁界を放出する妨害磁界発生部と、
前記妨害磁界発生用電流供給部から供給される前記妨害磁界発生用電流の電流値から所定の電流値を差し引いた電流値を、前記読み取りヘッドから供給される前記読み取り電流の電流値から差し引いた電流値を有する電流を出力する演算部と
を含み、
前記所定の電流値とは、特定の電流値の妨害磁界発生用電流を前記妨害磁界発生部に供給した時に、前記読み取りヘッドから出力される読み取り電流の電流値を、前記特定の電流値から差し引いた電流値であり、既知である
磁気カード処理装置。
【請求項２】
前記演算部は、前記磁気カードに設けられた磁気ストライプに記録された磁気信号を読み取るたびに、前記妨害磁界発生用電流供給部から供給される前記妨害磁界発生用電流の電流値から前記所定の電流値を差し引いた電流値を、前記読み取りヘッドから供給される前記読み取り電流の電流値から差し引いた電流値を有する電流を出力する
請求項１に記載の磁気カード処理装置。
【請求項３】
前記妨害磁界発生部は、複数の所定の位置に移動可能であり、前記所定の電流値は前記妨害磁界発生部の位置に応じた値である
請求項１又は２に記載の磁気カード処理装置。
【発明の詳細な説明】
【技術分野】
【０００１】
本発明は、磁気カード処理装置に関する。
【背景技術】
【０００２】
銀行等における現金自動預け払い機等に設けられた、キッシュカード等の磁気カードが挿入される磁気カード挿入口近辺に、第３者が磁気カードに設けられた磁気ストライプに磁気的に記録されたデータを不正に読み取るスキミング装置を設置し、第３者がそのスキミング装置により読み取った磁気カードのデータと同一のデータを記録した新たな磁気カードを作成し、当該磁気カードを不正に使用するという犯罪が発生している。
【０００３】
係る犯罪を防止するため、例えば、特許文献１には、磁気カード２の磁気ストライプに記録された磁気データの読み取りを妨害するために、妨害磁界を発生させる妨害磁界発生手段１８を磁気ヘッド１２付近に設ける技術が開示されている。
【０００４】
なお、関連技術として、特許文献２には、現金自動取引装置に人が接近すると、音声案内装置により、次に操作すべき内容を案内し、その後の操作の有無によりその人が視覚障害者か否かを取引開始前に判別し、音声案内装置による的確な案内により視覚障害者が安心して現金自動取引装置を使用できるようにする技術が記載されている。
【０００５】
また、特許文献３には、記録媒体１０１に記録された同一の情報信号を複数回再生する複数の磁気ヘッド１０２乃至１０５のうちの記録媒体１０１に対して先行する磁気ヘッド１０２および１０４の組のそれぞれの出力を復調すると共にメモリに記憶し、そのメモリに記憶された再生信号と、磁気ヘッド１０３および１０５の組のそれぞれの出力を復調した再生信号との間の相関性に基づいて演算回路１１７により当該情報信号の劣化を抑えつつノイズ成分を除去する技術が開示されている。
【０００６】
また、特許文献４には、主受信機２の受信電界強度の変動が所定以上あり、且つ主受信機のパイロット信号のレベル変動が所定以下のときには隣接妨害除去処理を行う判断をし、その際の主受信機の受信電波に含まれる隣接妨害電波の混信率を求め、その混信率と同じ値で副受信機の受信信号を減衰させ、主受信機の受信信号から、減衰させた副受信機の受信信号を減算し、明瞭な音質で音声信号を出力することができる技術が開示されている。
【０００７】
また、特許文献５には、地図情報に対応して予め複数の参照信号パターンが記憶された参照信号パターンメモリ１８から、ナビゲーション地図情報１９に基づいて特定の参照信号パターンを読み出し、読み出された参照信号パターンを基に参照信号発生部１２からエンジンノイズおよびロードノイズを打ち消す信号を出力し、車室内の騒音を低減する技術が開示されている。
【先行技術文献】
【特許文献】
【０００８】
【特許文献１】特開２０１２−１１８６８９号公報
【特許文献２】特開平５−５４２３５号公報
【特許文献３】特開平１０−６６０２６号公報
【特許文献４】特開２００２−２３７７５７号公報
【特許文献５】特開２００３−１６５３９４号公報
【発明の概要】
【発明が解決しようとする課題】
【０００９】
しかしながら、上述した特許文献１に記載された技術では、妨害磁界発生手段１８が発生する磁界は、不正なスキミング用磁気ヘッド３１のみならず、正規の磁気ヘッド１２にも混入してしまい、磁気ヘッド１２からは、磁気カード２の磁気ストライプに記録されたデータとは異なる誤ったデータが出力されてしまうという問題点がある。
【００１０】
なお、特許文献２乃至５の何れにも、磁気カードの磁気ストライプに記録されたデータをスキミング装置により不正に読み取られるのを防止するために、妨害磁界を使用する技術は記載されていない。
【００１１】
本発明の目的は、上述した問題点を解決した磁気カード処理装置を提供することにある。
【課題を解決するための手段】
【００１２】
本発明の磁気カード処理装置は、
磁気カードに設けられた磁気ストライプに記録された磁気信号を読み取るためのものであって、到来する磁界の強さに対応する電流を読み取り電流として出力する読み取りヘッドと、
時間の経過とともに電流値が変化する電流である妨害磁界発生用電流を出力する妨害磁界発生用電流供給部と、
前記妨害磁界発生用電流供給部から前記妨害磁界発生用電流が供給され、前記妨害磁界発生用電流の電流値に応じた強さの磁界を放出する妨害磁界発生部と、
前記妨害磁界発生用電流供給部から供給される前記妨害磁界発生用電流の電流値から所定の電流値を差し引いた電流値を、前記読み取りヘッドから供給される前記読み取り電流の電流値から差し引いた電流値を有する電流を出力する演算部と
を含む。
【発明の効果】
【００１３】
本発明には、スキミング装置によるスキミングを防止できるという効果がある。
【図面の簡単な説明】
【００１４】
【図１】本発明の第１の実施形態を示す構成図である。
【図２】第１の実施形態に係る演算部１３の動作を示すフローチャートである。
【図３】本発明の第２の実施形態を示す構成図である。
【発明を実施するための形態】
【００１５】
次に、本発明の実施形態について図面を参照して詳細に説明する。
＜第１の実施形態＞
まず、第１の実施形態について説明する。
【００１６】
図１は、本実施形態を示す構成図である。
【００１７】
図１を参照すると、本実施形態は、磁気カード処理装置１と、磁気カード４と、スキミング装置８とから構成される。
【００１８】
磁気カード処理装置１は、妨害磁界発生部２と、磁気情報読み取りヘッド３と、妨害磁界発生用電流供給部６と、上部搬送ローラ１１と、下部搬送ローラ１２と、演算部１３とを含む。
【００１９】
磁気カード４は、磁気ストライプ５を含む。磁気ストライプ５は、磁性体からなり、磁気カード４の所定の箇所に設けられ、各種のデータを磁気信号として磁気的に記録している。
【００２０】
スキミング装置８は、スキミング用磁気ヘッド９を含む。スキミング装置８は、第３者が磁気カード挿入口７付近に不正に取り付けたものである。
【００２１】
妨害磁界発生部２は、磁界（妨害磁界）を常時発生し、周囲に該磁界を放出する。妨害磁界発生部２は、例えば、鉄心等の周りに導線を巻きつけたものであり、その導線に電流を供給することにより、その電流の値に応じた強さの磁界を発生する。
【００２２】
妨害磁界発生用電流供給部６は、各種の波形を有する電流（すなわち、時間の経過とともに電流値が変化する電流。以下、「妨害磁界発生用電流」と言う。）１５を妨害磁界発生部２および演算部１３に供給する。妨害磁界発生用電流１５の波形の種類としては、正弦波や鋸波やこれら以外の特殊な波形がある。
【００２３】
磁気情報読み取りヘッド３は、磁気カード４に設けられた磁気ストライプ５に記録された磁気信号を読み取るためのものであって、到来する磁界の強さに対応する電流（以下、「読み取り電流」という。）１４を出力し、演算部１３に供給する。
【００２４】
上部および下部搬送ローラ１１および１２は、磁気カード挿入口７から挿入された磁気カード４を磁気カード処理装置１の奥側に搬送する。
【００２５】
その搬送の過程で、磁気カード４の磁気ストライプ５に記録された磁気信号の各信号部分が、磁気情報読み取りヘッド３により、上述したように電流に変換されていく。
【００２６】
次に、本実施形態の動作について説明する。
【００２７】
今、利用者が磁気カード挿入口７から磁気カード４を挿入したとする。
【００２８】
磁気カード挿入口７に挿入された磁気カード４は、上部および下部搬送ローラ１１および１２により、磁気情報読み取りヘッド３へ搬送される。
【００２９】
磁気情報読み取りヘッド３は、磁気情報読み取りヘッド３の近傍を通過していく磁気カード４の磁気ストライプ５に記録された磁気信号のうちの、磁気情報読み取りヘッド３の直近にある各信号部分が発する磁界の強さに、その時に妨害磁界発生部２から磁気情報読み取りヘッド３に到達している磁界の強さが重畳した磁界の強さに対応する読み取り電流１４を演算部１３へ出力する。
【００３０】
演算部１３は、妨害磁界発生用電流１５の電流値から所定の電流値を差し引いた電流値を、演算部１３に入力される読み取り電流１４の電流値から差し引いた電流値を有する磁気カードデータ対応電流１６を出力する（図２に示すフローチャートのステップＳ２１）。
【００３１】
ここで、ある特定の電流値の妨害磁界発生用電流１５を妨害磁界発生部２に供給した時に磁気情報読み取りヘッド３から出力される読み取り電流１４の電流値を予め調べておき、当該読み取り電流１４の電流値を上記特定の電流値から差し引いた電流値を上記所定の電流値とする。
【００３２】
こうして、演算部１３は、妨害磁界発生部２から発する磁界の影響を取り除いた磁気ストライプ５に記録された磁気信号に正確に対応する磁気カードデータ対応電流１６を出力することができる。
【００３３】
一方で、スキミング装置８のスキミング用磁気ヘッド９は、スキミング用磁気ヘッド９の近傍を通過していく磁気カード４の磁気ストライプ５に記録された磁気信号のうちの、磁気情報読み取りヘッド３の直近にある各信号部分が発する磁界の強さに、その時に妨害磁界発生部２からスキミング用磁気ヘッド９に到達している磁界の強さが重畳した磁界の強さに対応する電流値の読み取り電流を出力することになる。
【００３４】
こうして、妨害磁界発生部２が発する磁界の強さのパターン（すなわち、妨害磁界発生用電流供給部６が妨害磁界発生部２に供給する電流の波形）を知り得ない第３者は、磁気カード４の磁気ストライプ５に記録された磁気信号に対応する電流を再現することができない。
【００３５】
なお、妨害磁界発生部２は、複数の所定の位置に移動できるようにしてもよい。その場合、上記所定の電流値は、妨害磁界発生部２の位置に応じて変更する必要があることは言うまでもない。
【００３６】
以上、本実施形態には、スキミング装置８によるスキミングを防止できるという効果がある。
【００３７】
その理由は、演算部１３において、妨害磁界による電流が重畳された磁気情報読み取りヘッド３からの読み取り電流１４から、妨害磁界による電流を差し引きくようにしたからである。
＜第２の実施形態＞
次に、本発明の第２の実施形態について説明する。
【００３８】
図３は、第２の実施形態を示すブロック図である。
【００３９】
図３を参照すると、本実施形態は、磁気カード処理装置１００と、磁気カード１０４とから構成される。
【００４０】
磁気カード処理装置１００は、妨害磁界発生部１０２と、磁気情報読み取りヘッド１０３と、妨害磁界発生用電流供給部１０６と、演算部１１３とを含む。
【００４１】
磁気カード１０４は、磁気ストライプ１０５を含む。
【００４２】
磁気情報読み取りヘッド１０３は、磁気カード１０４に設けられた磁気ストライプ１０５に記録された磁気信号を読み取るためのものであって、到来する磁界の強さに対応する電流を読み取り電流１１４として出力する。
【００４３】
妨害磁界発生用電流供給部１０６は、時間の経過とともに電流値が変化する電流である妨害磁界発生用電流１１５を出力する。
【００４４】
妨害磁界発生部１０２は、妨害磁界発生用電流供給部１０６から妨害磁界発生用電流１１５が供給され、妨害磁界発生用電流１１５の電流値に応じた強さの磁界（妨害磁界）を放出する。
【００４５】
演算部１１３は、妨害磁界発生用電流供給部１０６から供給される妨害磁界発生用電流１１５の電流値から所定の電流値を差し引いた電流値を、読み取りヘッド１０３から供給される読み取り電流１１４の電流値から差し引いた電流値を有する電流を出力する。
【００４６】
以上、本実施形態には、スキミング装置によるスキミングを防止できるという効果がある。
【００４７】
その理由は、演算部１１３において、妨害磁界による電流が重畳された磁気情報読み取りヘッド１０３からの読み取り電流１１４から、妨害磁界による電流を差し引きくようにしたからである。
【符号の説明】
【００４８】
１    磁気カード処理装置
２    妨害磁界発生部
３    磁気情報読み取りヘッド
４    磁気カード
５    磁気ストライプ
６    妨害磁界発生用電流供給部
７    磁気カード挿入口
８    スキミング装置
９    スキミング用磁気ヘッド
１１    上部搬送ローラ
１２    下部搬送ローラ
１３    演算部
１４    読み取り電流
１５    妨害磁界発生用電流
１６    磁気カードデータ対応電流
１００    磁気カード処理装置
１０２    妨害磁界発生部
１０３    磁気情報読み取りヘッド
１０４    磁気カード
１０５    磁気ストライプ
１０６    妨害磁界発生用電流供給部
１１３    演算部
１１４    読み取り電流
１１５    妨害磁界発生用電流
【図１】
2019071133.tif 000003
【図２】
2019071133.tif 000004
【図３】
2019071133.tif 000005